(57)【要約】【課題】半田槽への浸漬時に半田ボールが付着しにくいボビン及び巻線部品を提供する。【解決手段】線材が巻回される巻胴部と、前記線材の巻回軸方向の端部に当該巻胴部と一体に形成された側体部と、を有するボビンであって、前記側体部は、前記線材の末端部が各々接続される端子ピンと、前記巻胴部と前記端子ピンとの間に設けられ前記巻回軸方向と交差する交差方向に沿う壁部と、を有し、前記壁部は、当該壁部の前記巻胴部側と前記端子ピン側との間をわたる前記線材が案内される屈曲した溝部を有する。【選択図】図１
2019125677.tif 000002
【特許請求の範囲】
【請求項１】
線材が巻回される巻胴部と、
前記線材の巻回軸方向の端部に当該巻胴部と一体に形成された側体部と、
を有するボビンであって、
前記側体部は、前記線材の末端部が各々接続される端子ピンと、
前記巻胴部と前記端子ピンとの間に設けられ前記巻回軸方向と交差する交差方向に沿う壁部と、
を有し、
前記壁部は、当該壁部の前記巻胴部側と前記端子ピン側との間をわたる前記線材が案内される屈曲した溝部を有することを特徴とするボビン。
【請求項２】
請求項１に記載のボビンにおいて、
前記壁部は、前記交差方向に間隔を空けて配置される２つの第一壁部と、
前記交差方向における両端部が、前記２つの第一壁部と前記巻回軸方向に間隔を空けて対面している第二壁部と、
を有し、
前記溝部は、前記２つの第一壁部と前記第二壁部との間に形成されていることを特徴とするボビン。
【請求項３】
請求項２に記載のボビンにおいて、
前記２つの第一壁部は各々、前記巻回軸方向に沿って延出された延出壁部を有し、
前記延出壁部は、前記第２壁部の前記交差方向における両縁と間隔を空けて設けられていることを特徴とするボビン。
【請求項４】
請求項１乃至請求項３のいずれか一項に記載のボビンの前記巻胴部に巻回された前記線材が前記溝部を通り当該線材の末端部が前記端子ピンに接続されていることを特徴とする巻線部品。
【発明の詳細な説明】
【技術分野】
【０００１】
この発明は、電気回路等に使用するトランスなどに用いるボビン及び巻線部品に関する。
【背景技術】
【０００２】
電気回路等に使用するトランスなどに用いるボビン及び巻線部品としては、例えば、巻胴部に巻き回すことでコイルを形成する巻線材の末端が端子ピンに接続された面実装型トランスが知られている（例えば、特許文献１参照）。各巻線材の末端は、所定の端子ピンの根元に絡げて半田付けされており、端子ピンに絡げた巻線の末端にフラックスを塗布して半田槽に浸漬（半田ディップ）することで行われている。
【先行技術文献】
【特許文献】
【０００３】
【特許文献１】実用新案登録第３１８７１９７号公報
【発明の概要】
【発明が解決しようとする課題】
【０００４】
上記従来のボビン及び巻線部品は、半田槽への浸漬時に、巻線の末端等に塗布したフラックスと半田槽の溶融した半田液とが接触した際に、半田ボールが飛散し、ボビンや線材に付着する場合がある。ボビン等に付着した半田ボールは、見た目が悪いだけでなく、回路基板実装時または実装後に、半田ボールが回路基板の導通部分に剥がれ落ちると回路短絡等の不具合を起こすおそれがあるという課題がある。
【０００５】
本発明は、かかる課題に鑑みてなされたものであり、その目的とするところは、半田槽への浸漬時に半田ボールが付着しにくいボビン及び巻線部品を提供することを目的としている。
【課題を解決するための手段】
【０００６】
かかる目的を達成するために本発明の一態様に係るボビンは、線材が巻回される巻胴部と、前記線材の巻回軸方向の端部に当該巻胴部と一体に形成された側体部とを有するボビンであって、前記側体部は、前記線材の末端部が各々接続される端子ピンと、前記巻胴部と前記端子ピンとの間に設けられ前記巻回軸方向と交差する交差方向に沿う壁部とを有し、前記壁部は、当該壁部の前記巻胴部側と前記端子ピン側との間をわたる前記線材が案内される屈曲した溝部を有することを特徴とするボビンである。
【０００７】
かかるボビンにおいて、前記壁部は、前記交差方向に間隔を空けて配置される２つの第一壁部と、前記交差方向における両端部が、前記２つの第一壁部と前記巻回軸方向に間隔を空けて対面している第二壁部とを有し、前記溝部は、前記２つの第一壁部と前記第二壁部との間に形成されているものとすることができる。
【０００８】
また、かかるボビンにおいて、前記２つの第一壁部は各々、前記巻回軸方向に沿って延出された延出壁部を有し、前記延出壁部は、前記第２壁部の前記交差方向における両縁と間隔を空けて設けられているものとすることができる。
【０００９】
また、本発明の他の態様は、前記ボビンの前記巻胴部に巻回された前記線材が前記溝部を通り当該線材の末端部が前記端子ピンに接続されていることを特徴とする巻線部品である。
【発明の効果】
【００１０】
本発明によれば、半田槽への浸漬時に半田ボールが付着しにくいボビン及び巻線部品を提供することが可能である。
【図面の簡単な説明】
【００１１】
【図１】本発明の一実施形態に係るボビンを示す斜視図である。
【図２】本発明の一実施形態に係る巻線部品を半田槽に浸漬している状態を示す図である。
【発明を実施するための形態】
【００１２】
本発明の一実施例について、以下に添付図面を参照しつつ説明する。
本発明の一実施形態に係るボビン１は、例えば、電気回路に用いられる巻線部品２としてのインダクターに用いられる。ボビン１は、例えば、電気絶縁性を有する適宜の樹脂によって形成することができる。
【００１３】
図１に示すように、ボビン１は、中空部分１ａを有し断面がほぼ矩形の角筒状をなし線材３が巻回される巻胴部１１と、中空部分１ａを貫通する方向となる巻回された線材３の巻回軸方向（図１の左右方向）における両端部に当該巻胴部１１と一体に形成された一対の側体部１２、１３と、を有している。
【００１４】
一対の側体部１２、１３は、巻胴部１１の縦断面における外周形状よりも大きなほぼ矩形状をなし巻胴部１１に巻回された線材３を規制する規制壁部１４を有している。以下の説明においては、矩形状をなす巻胴部１１の内側を内周側とし、外側を外周側として説明する。
【００１５】
一対の側体部１２、１３のうちの一方の側体部１２であり、図１においては左側に位置する側体部（以下、左側体部という）１２には、巻胴部１１に巻回された線材３の末端部３ａが各々接続される２本の端子ピン４が設けられている。端子ピン４は、左側体部１２において巻胴部１１とは反対側に張り出して設けられた端子ピン保持部１５に設けられている。
【００１６】
端子ピン保持部１５は、巻胴部１１がなす矩形状の１つの辺をなす外周面部１１ａとほぼ平行に設けられ、当該１つの外周面部１１ａよりも外周側に位置する平面に垂直に立設されている。
【００１７】
以下の説明においては、図１に示すように、ボビン１の端子ピン保持部１５が設けられている部位が上側になるように配置した状態で、上下の方向を特定して説明する。
【００１８】
図１に示すように、端子ピン保持部１５が設けられている部位が上側になるように配置した状態では、端子ピン保持部１５は、巻胴部１１の中空部分１ａよりも上に設けられており、端子ピン保持部１５の端子ピン４が設けられている平面が、端子ピン保持部１５の上面１５ａであって水平面をなしており、端子ピン４は、端子ピン保持部１５の上面１５ａに鉛直に立設されている。端子ピン保持部１５の上面１５ａは、左側体部１２の規制壁部１４よりも低い位置に形成されている。このため、巻胴部１１と端子ピン４との間には、規制壁部１４において端子ピン保持部１５よりも上方に突出する部位（以下、規制壁部の突出部分という）１４ａが位置している。規制壁部１４の突出部分１４ａが、巻胴部１１と端子ピン４との間に設けられ巻回軸方向と交差する交差方向に沿う壁部に相当する。
【００１９】
端子ピン４は、端子ピン保持部１５の上面１５ａに、図１において、上下方向及び巻回軸方向と直交する交差方向に間隔を隔てて２本設けられており、２本の端子ピン４の中間の位置に、位置決め用の位置決めピン５が設けられている。
【００２０】
規制壁部１４の突出部分１４ａには、巻胴部１１に巻回され末端部３ａが端子ピン４に絡げられる線材３が案内される溝部６が設けられている。溝部６は、規制壁部１４の突出部分１４ａの巻胴部１１側と端子ピン４側とを連通し屈曲して設けられている。より具体的には、規制壁部１４の突出部分１４ａは、巻胴部１１側にて交差方向に間隔を空けて配置される２つの第一壁部１６と、第一壁部１６と巻回軸方向に間隔を空けて設けられている第二壁部１７とを有しており、第一壁部１６と第二壁部１７とにより溝部６が形成されている。
【００２１】
２つの第一壁部１６は、規制壁部１４の交差方向における両端部側に設けられており、各々交差方向に沿う交差方向壁部１６ａと、図１において奥側に位置する交差方向壁部１６ａの奥側の縁から、また、手前側に位置する交差方向壁部１６ａの手前側の縁から、各々巻胴部１１とは反対側に向かって巻回軸方向に延出された巻回軸方向壁部１６ｂと、を有している。すなわち、２つの第一壁部１６は、水平断面がＬ字状をなして、交差方向壁部１６ａが交差方向に間隔を空けて直線状に配置されており、巻回軸方向壁部１６ｂ同士が、交差方向に間隔を空けて対向し、規制壁部１４の交差方向における両端部をなしている。
【００２２】
第二壁部１７は、交差方向に沿う直線状の壁部であって、交差方向における両方の縁１７ａは第一壁部１６の巻回軸方向壁部１６ｂと各々間隔を空けて設けられおり、巻回軸方向においては、第二壁部１７の両端部１７ｂが２つの第一壁部１６の交差方向壁部１６ａと各々間隔を空けて対面するように設けられている。このため、溝部６は、２つの第一壁部１６の交差方向壁部１６ａ同士の間から、交差方向において手前側及び奥側にて対面している第二壁部１７と交差方向壁部１６ａとの間及び第二壁部１７の交差方向の縁１７ａと巻回軸方向壁部１６ｂとの間とを通って端子ピン４側に繋がる溝部６を有している。すなわち、規制壁部１４の突出部分１４ａは、クランク状に屈曲し２つのルートを有する溝部６を有している。第一壁部１６の巻回軸方向壁部１６ｂが、巻回軸方向に沿って延出された延出壁部に相当する。
【００２３】
本実施形態のボビン１を用いた巻線部品２は、図２に示すように巻胴部１１に巻回された線材３が規制壁部１４の突出部分１４ａに設けられた溝部６を通して、末端部３ａが端子ピン４に絡げられ、絡げられた状態でフラックスが塗布されて半田槽１８に浸漬されることにより線材３と端子ピン４とが接続される。このとき、線材３が巻回されたボビン１は、端子ピン４以外の部位ができるだけ半田槽１８に浸漬されないように、端子ピン４側がより下に位置するように傾けて浸漬する。
【００２４】
このため、半田槽１８に浸漬する際には、半田槽１８に浸漬される端子ピン４の線材３が絡げられた部位と、ボビン１において線材３が巻回されている巻胴部１１側の部位との間には、規制壁部１４の突出部分１４ａが位置している。このため、本実施形態のボビン１及びボビン１を用いた巻線部品２によれば、端子ピン４に塗布したフラックスと半田槽１８の溶融した半田液とが接触した際に、たとえ半田ボールが飛散したとしても、規制壁部１４の突出部分１４ａにより遮られるので、ボビン１の巻胴部１１側の部位へ半田ボールが付着するのを防止することが可能である。
【００２５】
このとき、規制壁部１４の突出部分１４ａには、巻胴部１１に巻回され末端部３ａが端子ピン４に絡げられる線材３が案内され、端子ピン４側と巻胴部１１側を連通する溝部６が設けられているが、溝部６は屈曲しているので、たとえ半田ボールが飛散したとしてもボビン１の巻胴部１１側の部位への半田ボールの付着を防止することが可能である。
このため、半田槽１８への浸漬時に半田ボールが付着しにくいボビン１及び巻線部品２を提供することが可能である。
【００２６】
また、交差方向に間隔を空けて設けられている２つの交差方向壁部１６ａと巻回軸方向に間隔を空けて設けられている第二壁部１７は、交差方向における両端部１７ｂが交差方向壁部１６ａと対面しているので、ボビン１における端子ピン４側の部位と巻胴部１１側の部位とは、巻回軸方向に直線的に連通することはない。
【００２７】
さらに、第二壁部１７における交差方向の各縁１７ａと、交差方向に間隔を空けて対向する第一壁部１６の巻回軸方向壁部１６ｂとを交差方向に間隔を空けることにより溝部６を形成しているので、ボビン１における端子ピン４側の部位と巻胴部１１側の部位とが直線的に連通することをより確実に防止することが可能である。このため、巻胴部１１に巻回されて端子ピン４に絡げられる線材３を通す溝部６を備えつつも半田槽１８への浸漬時に半田ボールが付着しにくいボビン１及び巻線部品２を提供することが可能である。
【００２８】
上記実施形態においては、溝部６がクランク状に屈曲している例を挙げて説明したが、これに限るものではなく、溝部が屈曲している形態であれば、半田ボールの付着を抑制する効果を得ることが可能である。
【００２９】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３０】
１  ボビン、２  巻線部品、３  線材、３ａ  末端部、４  端子ピン、６  溝部、
１１  巻胴部、１２  左側体部（側体部）、１４  規制壁部、１４ａ  突出部分、
１６  第一壁部、１６ａ  交差方向壁部、１６ｂ  巻回軸方向壁部、
１７  第二壁部、１７ａ  縁、１７ｂ  端部、
【図１】
2019125677.tif 000003
【図２】
2019125677.tif 000004